(57)【特許請求の範囲】
【請求項１】
本体に、裏面と裏面以外の他の面との間に開通する通し孔を形成することによって当該本体と一体の連結部を形成し、前記通し孔にハンドストラップの掛け紐部を通して連結部に結び付けるようにした携帯機器において、
前記本体の裏面のうち、前記連結部に対応する部位に溝を形成し、この溝内に前記通し孔の一端側を開口させて前記ハンドストラップの掛け紐部が前記溝内を通るようにしたことを特徴とする携帯機器。
【請求項２】
前記通し孔は、本体の裏面と周側面との間に開通していることを特徴とする請求項１記載の携帯機器。
【請求項３】
前記連結部は本体の右側の上部位に設けられていることを特徴とする請求項１または２記載の携帯機器。
【発明の詳細な説明】
【０００１】
【発明の属する技術分野】
本発明は本体にハンドストラップを結び付ける連結部を設けた携帯機器に関する。
【０００２】
【発明が解決しようとする課題】
携帯機器、例えば携帯電話機におけるハンドストラップの取り付け構造は、図６に示すような構造になっている。即ち、携帯電話機の本体１には、その側面と裏面とに開口する通し孔２が設けられており、この通し孔２の形成によって本体１には連結部３が形成されている。図７に示すようにハンドストラップ４を本体１に取り付けるには、ハンドストラップ４の掛け紐部４ａを通し孔２に通し、そして通し孔２から抜け出た掛け紐部４ａのループにハンドストラップ４の手掛用ベルト４ｂを通して引き締めると、掛け紐部４ａが連結部３に巻き締められ、ハンドストラップ４が連結部３に取り付けられる、というものである。
【０００３】
このようなハンドストラップ４の取り付け構造では、掛け紐部４ａが本体１の裏面から飛び出ているため、本体１を机などの平坦な面の上に置くと、掛け紐部４ａが平坦面に当たり、本体１の裏面が平坦面から浮いた状態になる。この状態で、本体１の表面（上面）に設けられている操作部を操作すると、本体１ががたついて操作し難くなる。
【０００４】
本発明は上記の事情に鑑みてなされたもので、その目的は、本体を机の上などの平坦面に置いた場合、本体がハンドストラップの存在によってがたついたりするおそれのない携帯機器を提供するにある。
【０００５】
【課題を解決するための手段】
請求項１の発明では、ハンドストラップが本体の裏面に形成された溝内を通るようになるので、本体を平坦面上に置いても、大きくがたついたりすることがない。
請求項２の発明では、通し孔が本体の裏面と周側面との間に開通しているので、ハンドストラップの本体への結び目が本体の表面に来ることがなく、外観を損なうことがない。
請求項３の発明では、連結部が本体の右側の上部位に設けられているので、例えばハンドストラップの先端にタッチペンを取り付け、そのタッチペンで本体の表面のタッチスイッチを操作する構成としたような場合、タッチペンを右手に持って操作する際に、ハンドストラップが本体の表面にかかるようなことがなく、ハンドストラップに邪魔されることなく操作できる。
【０００６】
【発明の実施の形態】
以下、本発明の一実施例を図１〜図５を参照しながら説明する。
図２は本発明に係る携帯機器たる携帯型の情報端末１１の外観を示している。同図のように、情報端末１１は、片手で保持可能な大きさに形成されたプラスチックケースからなる本体１２を主体とし、その表面（前面）には表示器としてＬＣＤパネル１３が設けられている。このＬＣＤパネル１３の表面の全域には、マトリックス型のパネル状タッチスイッチ（図示せず）が形成されており、特に、図中下縁部には、スイッチ機能を表した複数個のアイコン１３ａが印刷よって形成されている。
【０００７】
上記アイコン１３ａのうちは、左端のアイコンはメニュースイッチとして機能し、このアイコンをタッチペン１４によって押圧操作すると、ＬＣＤパネル１３に各種のメニューがリストアップされる。そして、ＬＣＤパネル１３に表示されたメニューから所望のメニューをタッチペン１４によって押圧操作すると、そのメニューが選択される。
【０００８】
また、本体１２の下面部には図示しない携帯電話機（ＰＨＳを含む概念）に接続される通信ケーブル用のターミナルボックス１５が設けられている。そして、各種メニューのうちから、インターネットや電子メールを選択すると、携帯電話機を介してインターネットにダイヤルアップ接続できるように構成されており、そのインターネットを介して各種のサーバに接続して種々の情報を取得したり、他の携帯電話機やパソコンなどに電子メールを送信することができるように構成されている。
【０００９】
また、本体１２は、図示はしないが位置情報取得手段としてのＧＰＳ受信ユニットを内蔵しており、地図メニューを選択すると、携帯電話機を地図サーバにダイヤルアップ接続し、ＧＰＳ受信ユニットが受信したＧＰＳ用の人工衛星からの位置情報を地図サーバに送信するように構成されている。そして、地図サーバは情報端末１１側から送信されたＧＰＳ用の人工衛星からの位置データを解析して情報端末１１の現在地を取得し、その現在地を中心とした所定範囲の地図データを携帯電話機に送信する。すると、情報端末１１のＬＣＤパネル１３に、現在地周辺の地図が表示されるようになっている。
【００１０】
このような情報端末１１の本体１２には、ハンドストラップ１６を取り付けることができるようになっている。ハンドストラップ１６は、図５に示すように、本体１２に直接的に連結される掛け紐部１６ａと、この掛け紐部１６ａに結合された手掛用ベルト１６ｂとからなり、掛け紐部１６ａと手掛用ベルト１６ｂの結合部分には保護キャップ１６ｃが被せられている。そして、手掛用ベルト１６ｂには、前述のタッチペン１４が取り付けられている。
【００１１】
一方、情報端末１１の本体１２の上部右側の裏面側には、図２および図３に示すように、ハンドストラップ１６を連結するための連結部１７が形成されている。この連結部１７は、本体１２の右側の上部位の裏面側の角部に、図１に示すように、両端が本体１２の裏面と周側面の一つである右側面との間に開通するほぼＬ字形の通し孔１８を形成することによって形成されたものである。そして、本体１２の裏面のうち連結部１７に対応する部位には、本体１２の右側面から左方に延びる溝１９が形成されており、上記通し孔１８の両端のうち、本体１２の裏面側の一端は当該溝１９の底面において開口している。この溝１９の深さ寸法ｈは、ハンドストラップ１６の掛け紐部１６ａの太さｄと同等、またはそれよりも大きく定められている。
【００１２】
ハンドストラップ１６を本体１２に取り付けるには、掛け紐部１６ａを通し孔１８に通し、通し孔１８から抜け出た掛け紐部１６ａの先端部を丸く輪状に広げてその中にタッチペン１４および手掛用ベルト１６ｂを通してして引き締める。すると、掛け紐部１６ａが連結部１７に巻き締められ、ハンドストラップ１６が連結部１７に取り付けられる。このとき、掛け紐部１６ａのうち、本体１２の裏面側に位置する部分は溝１９内に入れられ、本体１２の裏面から突出しないようになされる。
【００１３】
このため、本体１２を机の上などの平坦な面の上に置いた場合、掛け紐部１６ａが平坦面に接触したりすることがない。このため、本体１２ががたついたりすることがないので、タッチペン１４による押圧操作がし易くなる。また、掛け紐部１６ａが本体１２を載置した平坦面に接触しないので、掛け紐部１６ａの擦り切れを効果的に防止できる。
【００１４】
また、通し孔１８が本体１２の裏面と右側面との間に開通しているので、ハンドストラップ１６の連結部１７への結び目が本体１２の表面に来ることがなく、外観を損なうことがない。しかも、連結部１７が本体１２の右側の上部位に設けられているので、タッチペン１４を右手に持ってＬＣＤパネル１３上を押圧操作する場合、連結部が本体の左側に設けられているものとは異なり、ハンドストラップ１６がＬＣＤパネル１３上にかかって操作の邪魔になるといった不具合を防止できる。また、本体１２を左手に持ち、タッチペン１４を右手に持ってＬＣＤパネル１３を操作する場合、連結部が本体の左側に設けられているものとは異なり、ハンドストラップがＬＣＤパネル１３上にかからないようにするために、ハンドストラップを本体の裏側に回す必要がないので、ハンドストラップ１６の長さを短縮することができる。
【００１５】
なお、本発明は上記し且つ図面に示す実施例に限定されるものではなく、以下のような変更或いは拡張が可能である。
通し孔は、本体１２の裏面と表面との間に開通するもの、裏面と周側面の一つである上側面との間に開通するものであっても良い。
本体１２の裏面の四隅に安定設置用の小突起を設ける場合には、溝９の深さｈは掛け紐部１６ａの太さｄよりも小さくても良い。
本発明は携帯電話機（ＰＨＳを含む）など、携帯機器一般に広く適用できる。
【図面の簡単な説明】
【図１】本発明の一実施例を示す要部の断面図
【図２】全体の斜視図
【図３】要部の斜視図
【図４】全体の側面図
【図５】ハンドストラップの斜視図
【図６】従来のハンドストラップの取付構成を示す図１相当図
【図７】図３相当図
【符号の説明】
図中、１２は本体、１３はＬＣＤパネル、１４はタッチペン、１６はハンドストラップ、１７は連結部、１８は通し孔、１９は溝である。
【図１】
0003668080.tif 000002
【図２】
0003668080.tif 000003
【図３】
0003668080.tif 000004
【図４】
0003668080.tif 000005
【図５】
0003668080.tif 000006
【図６】
0003668080.tif 000007
【図７】
0003668080.tif 000008